(57)【要約】【解決手段】航空機ギャレー構造物（１０）に航空機ギャレーインサートを配置及び取り付けるための航空機ギャレーインサートケース（１２）を設置する配置及び支援システムは、航空機ギャレーインサートケース（１２）の上面に固定して取り付けられたフローティングスタビライザコネクタ（１８）と、航空機ギャレーインサートケースを受けるため、航空機ギャレー構造物のコンパートメントの上部部分の取付スロット（２４）に固定して取り付けられたフローティングレシーバシェルフ係合部インサートと、を備える。フローティングレシーバシェルフ係合部インサートは、フローティングスタビライザコネクタを取り外し可能に受けるように構成されたスロット部分を備える。航空機ギャレーインサートはまた、形成された絶縁体に埋め込まれた複数のセラミックスペーサを備えてもよい。【選択図】図１
2016526506.tif 000002
【特許請求の範囲】
【請求項１】
航空機ギャレー構造物のコンパートメントにギャレー機器を設置するための配置及び支援システムであって、前記航空機ギャレー構造物は、前記ギャレー機器を収容するためのギャレー機器コンパートメントを備え、前記配置及び支援システムは、
航空機ギャレー構造物のギャレー機器コンパートメントに受けられるように構成されたギャレー機器ケースであって、フローティングスタビライザコネクタが固定して取り付けられた上面を有する、ギャレー機器ケースと、
前記航空機ギャレー構造物のギャレー機器コンパートメントに配置された航空機ギャレー構造物シェルフであって、ギャレー機器を配置及び取り付けるために前記フローティングスタビライザコネクタを移動可能に受けて、ギャレー機器が前記航空機ギャレー構造物に設置される際に前記ギャレー機器ケースの過度な移動を防ぐように構成された一次取付スロットを備える、航空機ギャレー構造物シェルフと、
を備える、配置及び支援システム。
【請求項２】
前記ギャレー機器ケースは、前記ギャレー機器ケースを前記ギャレー機器コンパートメントの側面に配置するように構成された羽根機能を備える、
請求項１に記載の配置及び支援システム。
【請求項３】
前記航空機ギャレー構造物シェルフの一次取付スロットは、前記フローティングスタビライザコネクタを移動可能に受けるように構成されたフローティングレシーバシェルフ係合部インサートを備える、
請求項１に記載の配置及び支援システム。
【請求項４】
前記ギャレー機器は、オーブンアセンブリである、
請求項１に記載の配置及び支援システム。
【請求項５】
前記オーブンアセンブリは、前記航空機ギャレー構造物の前方部に設けられた制御パネルを備える、
請求項４に記載の配置及び支援システム。
【請求項６】
前記ギャレー機器ケースはさらに、オーブンドアボードを備える、
請求項４に記載の配置及び支援システム。
【請求項７】
前記ギャレー機器ケースはさらに、下部取付レールを備える、
請求項４に記載の配置及び支援システム。
【請求項８】
前記ギャレー機器ケースはさらに、前記ギャレー機器ケースの後方部に取り外し可能に取り付けられたダクトアセンブリを備える、
請求項４に記載の配置及び支援システム。
【請求項９】
前記オーブンアセンブリは、絶縁体に埋め込まれた複数のセラミックスペーサを備える、
請求項４に記載の配置及び支援システム。
【請求項１０】
ギャレーインサートコンパートメントを備える航空機ギャレー構造物構造体であって、前記ギャレーインサートコンパートメントは、一次取付スロットを備えるシェルフを有する、航空機ギャレー構造物構造体と、
ギャレーインサートを取り外し可能に受けるように構成されたギャレーインサートケースであって、前記ギャレーインサートケースは、フローティングスタビライザコネクタが固定して取り付けられた上面を有し、前記フローティングスタビライザコネクタは、前記一次取付スロットに移動可能に受けられ、前記フローティングスタビライザコネクタは、前記ギャレーインサートが前記航空機ギャレー構造物に設置される際、前記ギャレーインサートケースの過度な移動を防ぐように構成される、ギャレーインサートケースと、
を備える、航空機ギャレー構造物。
【請求項１１】
前記ギャレーインサートケースは、さらに、下部取付レールを備える、
請求項１０に記載の航空機ギャレー構造物。
【請求項１２】
前記ギャレーインサートケースは、さらに、前記ギャレーインサートケースの後方部に取り外し可能に取り付けられたダクトアセンブリを備える、
請求項１０に記載の航空機ギャレー構造物。
【請求項１３】
前記ギャレーインサートケースは、さらに、前記ギャレーインサートコンパートメントの側面に前記ギャレーインサートを配置するための羽根機能を備える、
請求項１０に記載の航空機ギャレー構造物。
【請求項１４】
前記シェルフは、前記航空機ギャレー構造物構造体のコンパートメントの上部部分に配置される、
請求項１０に記載の航空機ギャレー構造物。
【請求項１５】
前記航空機ギャレー構造物は、さらに、少なくとも１つの標準ユニットを収容するための空間を有する上部部分を備える、
請求項１０に記載の航空機ギャレー構造物。
【請求項１６】
前記航空機ギャレー構造物は、さらに、インサートプロトコルアダプタコネクタユニットを備える、
請求項１０に記載の航空機ギャレー構造物。
【請求項１７】
前記航空機ギャレー構造物は、さらに、前記ギャレーインサートの通風のための空気の流れの流路を提供するように構成された空気取り込みボードを備える、
請求項１０に記載の航空機ギャレー構造物。
【請求項１８】
前記ギャレーインサートは、オーブンアセンブリであり、前記オーブンアセンブリの制御パネルが、前記航空機ギャレー構造物の前方部に設けられる、
請求項１０に記載の航空機ギャレー構造物。
【請求項１９】
前記ギャレーインサートケースは、さらに、オーブンドアボードを備える、
請求項１８に記載の航空機ギャレー構造物。
【請求項２０】
前記オーブンアセンブリは、さらに、絶縁体に埋め込まれた複数のセラミックスペーサを備える、
請求項１８に記載の航空機ギャレー構造物。
【発明の詳細な説明】
【技術分野】
【０００１】
関連出願の相互参照
本出願は、２０１３年６月１８日に出願された米国仮特許出願第６１／８３６，４５１号、及び、２０１４年６月１２日に出願された米国特許出願第１４／３０３，２０７号の優先権を主張し、それらの内容を参照により組み込む。
【０００２】
本発明は、一般的に、輸送機ギャレーシステムに関し、特に、航空機ギャレー内にギャレーインサートまたはギャレー機器を配置し、取り付けるためのシステムに関する。
【背景技術】
【０００３】
機内食サービスを提供する民間航空機の航空機ギャレーシステムは、一般的に、航空機に搭乗中に提供される温かい食事を準備するため食料を加熱する独立したオーブンだけでなく、乗客に提供する前に食料が腐敗することを防止するため、及び、飲料を所望の提供温度に保つために、冷却された自立型冷蔵ユニットを内蔵している。現在、同じギャレーにおいて、または、異なるギャレーにおいて、加熱装置と冷却装置のそれぞれに対して別々に空間を割り当てなければならない。
【０００４】
既知のモジュール式航空機ギャレーには、スライドイン装置、または、ギャレーインサートやギャレー機器などの機器を収容するための数個の水平垂直構造要素を利用しているものがある。ギャレーは、スライドイン装置または機器との機械的接続及び連結のための接続要素を提供する本質的に変更不能な基本的要素となる構造要素を備え、様々な種類のスライドイン装置または機器が様々な場所で交換できるようになっている。このようなモジュール式航空機ギャレーシステムは、一般的に、ギャレーインサートまたはギャレー機器をギャレーの内部空洞またはライナーに配置するための主要な機構として、オーブン、冷蔵庫または他の装置などのギャレーインサートまたはギャレー機器の外ケースを用いる。
【０００５】
ギャレーインサートまたは機器の構造要素を取り除くことで重量の削減を可能にする、航空機ギャレー機器インサートの配置及び支援システムを提供することが望ましい。また、ギャレーインサートまたは機器を近接させて配置することで更なる空間の創出を可能にする、航空機ギャレー機器インサートの配置及び支援システムを提供することが望ましい。さらに、既存のギャレー構造物構造体を有する機器の統合を可能にする、航空機ギャレー機器インサートの配置及び支援システムを提供することが望ましい。本発明は、これら及び他の要求を満たす。
【発明の概要】
【課題を解決するための手段】
【０００６】
手短に大まかに言うと、本発明は、航空機ギャレー構造物に航空機ギャレーインサートを設置するための配置及び支援システムであって、自立するのに十分な剛性を有する必要をなくすことで、ギャレーインサートまたは機器ケースの重量を削減することが可能であり、ギャレーインサートまたは機器が接触して、そのために、ギャレーインサートまたは機器が取り付けられる構造物の側面または隔壁に荷重が加えられることを防ぐのに十分な支援を提供する配置及び支援システムを提供する。本発明の配置及び支援システムは、構造物がギャレーインサートまたは機器に損害を与える荷重を与えることを防止するのに十分な移動を可能にし、ギャレーインサートまたは機器が器具の必要なしで、従来の作業ラインで交換可能なユニットとして設置または取り外されることを可能にする。本発明の配置及び支援システムは、ギャレーインサートまたは機器ケースに固定して取り付けられた剛性部分と、ギャレー構造物に固定して取り付けられた可撓部分の２つの主要な部分を含む。本発明の配置及び支援システムは、所与の位置内において互換性を与え、接触の危険なしでギャレーインサートまたは機器を近接して配置する設備を可能にする。
【０００７】
従って、本発明は、ギャレー機器を収容するための航空機ギャレー構造物のコンパートメントにギャレー機器を設置するための配置及び支援システムを提供する。現在好適な態様において、配置及び支援システムは、ギャレー機器コンパートメントに受けられるように構成されたギャレー機器ケースと、航空機ギャレー構造物のギャレー機器コンパートメントに配置された、一次取付スロットを含む航空機ギャレー構造物シェルフとを備える。ギャレー機器ケースは、好ましくは、フローティングスタビライザコネクタが固定して取り付けられた上面を有し、一次取付スロットは、ギャレー機器が航空機ギャレー構造物に設置される際に、ギャレー機器ケースの過度な移動を防止するように、ギャレー機器の配置及び取り付けのため、フローティングスタビライザコネクタを移動可能に受けるように構成される。別の現在好適な態様において、航空機ギャレー構造物シェルフの一次取付スロットは、フローティングスタビライザコネクタを移動可能に受けるように構成されたフローティングレシーバシェルフ係合部インサートを備える。別の現在好適な態様において、ギャレー機器ケースは、ギャレー機器ケースをギャレー機器コンパートメントの側面に配置するように構成された羽根機能を備える。
【０００８】
別の現在好適な態様において、ギャレー機器は、オーブンアセンブリであり、オーブンアセンブリは、航空機ギャレー構造物の前方部に設けられた制御パネルを備えてもよい。別の現在好適な態様において、ギャレー機器ケースは、オーブンドアボードを備えてもよい。別の現在好適な態様において、ギャレー機器ケースは、下部取付レールを備えてもよい。別の現在好適な態様において、ギャレー機器ケースは、ギャレー機器ケースの後方部に取り外し可能に取り付けられたダクトアセンブリを備えてもよい。別の現在好適な態様において、ギャレー機器ケースは、形成された絶縁体に埋め込まれた複数のセラミックスペーサを備えてもよい。
【０００９】
本発明はまた、ギャレーインサートコンパートメントを備える航空機ギャレー構造物構造体と、ギャレーインサートを取り外し可能に受けるように構成されたギャレーインサートケースとを備える航空機ギャレー構造物を提供し、ギャレーインサートコンパートメントは、一次取付スロットを備えるシェルフを有する。ギャレーインサートケースは、好ましくは、フローティングスタビライザコネクタが固定して取り付けられた上面を有し、フローティングスタビライザコネクタは、ギャレーインサートが航空機ギャレー構造物に設置される際に、ギャレーインサートケースの過度な移動を防止するため、一次取付スロットに移動可能に受けられる。
【００１０】
別の現在好適な態様において、ギャレーインサートケースはさらに、下部取付レールを備える。別の現在好適な態様において、ギャレーインサートケースは、さらに、ギャレーインサートケースの後方部に取り外し可能に取り付けられたダクトアセンブリを備える。別の現在好適な態様において、ギャレーインサートケースはさらに、ギャレーインサートケースをギャレーインサートコンパートメントの側面に配置するための羽根機能を備える。別の現在好適な態様において、シェルフは、航空機ギャレー構造物構造体のコンパートメントの上部部分に配置される。
【００１１】
別の現在好適な態様において、航空機ギャレー構造物はさらに、少なくとも１つの標準ユニットを収容するための空間を有する上部部分を備える。別の現在好適な態様において、航空機ギャレー構造物はさらに、インサートプロトコルアダプタコネクタユニットを備える。別の現在好適な態様において、航空機ギャレー構造物はさらに、ギャレーインサートの通風のための空気の流れの流路を提供するように構成された空気取り入れボードを備える。別の現在好適な態様において、ギャレーインサートは、オーブンアセンブリであり、オーブンアセンブリの制御パネルが、航空機ギャレー構造物の前方部に設けられる。ギャレーインサートケースはさらに、オーブンドアボードを備えてもよく、さらに、形成された絶縁体に埋め込まれた複数のセラミックスペーサを備えてもよい。
【００１２】
本発明の他の特徴および利点が、例として、本発明の作用を図示する添付の図面と合わせて以下の好適な実施形態の詳細な記載から明らかになるだろう。
【図面の簡単な説明】
【００１３】
【図１】本発明に係る、配置及び支援システムを有する航空機ギャレー構造物内に設置されたオーブンアセンブリなどのギャレーインサートまたは機器を有する航空機ギャレー構造物の一部の断面図である。
【図２】図１の配置及び支援システムのサブフレーム及び取付アセンブリの分解図である。
【図３】図１の配置及び支援システムの取付アセンブリの好適な実施形態の詳細拡大斜視図である。
【図４】図１の配置及び支援システムを有するオーブンアセンブリギャレーインサートまたは機器の取付具の分解斜視図である。
【発明を実施するための形態】
【００１４】
例示の目的のため及び例として提供される図面を参照すると、本発明は、ギャレー構造体の移動によって航空機ギャレーインサートまたは機器に許容できない荷重がかかることを防止するため、及び、隣接したギャレーインサートまたは機器の荷重、ギャレーの中間壁または構造壁、仕切板、隔離版または他の表面との接触または干渉を防ぐための航空機ギャレー機器インサートの配置及び支援システムを提供する。
【００１５】
航空機ギャレー構造物に設置されたギャレーインサートまたは機器ケース、サブフレーム、筐体または構造インナーライナー１２を有する航空機ギャレー構造物１０の一部が示される図１に示すように、本発明は、例えば、オーブンアセンブリなどの航空機ギャレー機器インサートを取り付けるための配置及び支援システムを提供する。ギャレーインサートまたは機器ケース、サブフレーム、筐体または構造インナーライナーの上面には、有利には、航空機ギャレー構造物にギャレーインサートまたは機器を設置する際に、ギャレーインサートまたは機器ケース、サブフレーム、筐体または構造インナーライナーの過度な移動を防止するように構成された、フローティングスタビライザ取付具またはアセンブリ、フラッタアセンブリ、フローティングスタビライザ取付ポイントまたはフラッタポイント１６を備える。フローティングスタビライザ取付ポイントまたはフラッタポイントは、２つの主要な部分から形成される。２つの主要な部分は、ギャレーインサートまたは機器ケースの上面２０に固定して取り付けられた、または、嵌合されたフローティングスタビライザコネクタまたは固定された「サメのひれ（ｓｈａｒｋｓ  ｆｉｎ）」コネクタ１８、及び、航空機ギャレー構造物構造体のコンパートメント２８の上部部分のシェルフ２６の一次取付スロット２４に内蔵された「フローティングレシーバ」シェルフ係合部インサートまたはダブラー２２であり、「フローティングレシーバ」シェルフ係合部インサートまたはダブラー２２は、ギャレーインサートまたは機器ケース、サブフレームまたは筐体を収容するため、及び、例えば、サブフレーム、ギャレーインサートまたは機器ケースまたは構造インナーライナーにオーブンアセンブリ３０などのギャレーインサートまたは機器を配置及び取り付けるために設けられる。「フローティングレシーバ」シェルフ係合部インサートまたはダブラーにより、好ましくは、固定された「サメのひれ」コネクタの移動、及び、結果として、本発明の配置及び支援システムを備えて設置されたサブフレーム、ギャレーインサートまたは機器ケース、または構造インナーライナーの水平前後方向に約２５ミリメートル、垂直方向に約１０ミリメートル、及び、水平前後方向に垂直な水平方向に約１０ミリメートルの移動が可能となる。
【００１６】
航空機ギャレー構造物の上部部分は、一般的に、１つ以上の標準ユニット３２を収容するための空間を有し、航空機ギャレー構造物はまた、一般的に、インサートプロトコルアダプタコネクタユニット（ｉＰＡＣ）３４と、ギャレーインサートまたは機器の通風を可能にし、空気の流入３８及び流出４０のための流路を提供する空気取り入れボード３６とを備える。制御パネル４２もまた、一般的に、航空機ギャレー構造物の前方部に設けられる。ギャレーインサートまたは機器がオーブンアセンブリである場合、ギャレーインサートまたは機器ケース、サブフレームまたは筐体もまた、一般的に、オーブンドアボード４４及び下部取付レール、シェルフレールまたはガイドバー４６を備える。
【００１７】
図４に示すように、ダクトアセンブリ５０もまた、サブフレーム、ギャレーインサートまたは機器ケース、または構造インナーライナーの後方部に取り外し可能に取り付けられてもよく、サブフレーム、ギャレーインサートまたは機器ケース、または構造インナーライナーは、一般的に、サブフレーム、ギャレーインサートまたは機器ケースまたは構造インナーライナーを航空機ギャレー構造物構造体のギャレーインサートまたは機器コンパートメントの側面に配置するための羽根機能５２を備える。ギャレーインサートまた機器がオーブンアセンブリである場合、セラミックスペーサ５４は、随意的に、オーブンアセンブリの外面上の「形成された」絶縁体５６に埋め込まれてもよい。
【００１８】
フローティングスタビライザ取付具またはフラッタアセンブリは、隣接したギャレーインサートまたは機器の荷重、ギャレーの中間壁または構造壁、仕切板、隔離版または他の表面との接触または干渉を防ぐように構成される。同様に、その浮性により、ギャレー構造体の移動によって、ギャレーインサートには許容できない荷重はかからない。
【００１９】
本発明の特定の形態について例示及び記載したが、種々の改良が、本発明の要旨及び範囲を逸脱しない範囲で可能であることは、前述により明らかであろう。従って、本発明は、添付の特許請求の範囲以外によって限定を受けることを意図されていない。
【図１】
2016526506.tif 000003
【図２】
2016526506.tif 000004
【図３】
2016526506.tif 000005
【図４】
2016526506.tif 000006
【国際調査報告】
2016526506.tif 000007
2016526506.tif 000008
2016526506.tif 000009